(57)【要約】【課題】一旦蛍光灯モードに移行した後は、ユーザが何ら操作しなくても、一定時間経過後にはユーザに警告を発しつつ確実に蛍光灯モードを終了するとともに、バックライトの漏れ光を集光する機構を加えることで、蛍光灯としての照度を確保する。【解決手段】マイコン１０は、電源オン状態においてリモコン１９のモードボタン１９ａが操作されると、その操作信号を受けて液晶パネル２１を白一色の表示とする蛍光灯モードに移行し、その状態において一定時間内の所定時間が経過すると、蛍光灯モードの残り時間に関する警告メッセージを液晶パネル２１に表示し、次に一定時間経過が経過すると、その時点で蛍光灯モードを終了して、モード前の状態に復帰するかまたは電源オフ状態とする。【選択図】図１
2007264301.tif 000002
【特許請求の範囲】
【請求項１】
バックライトと液晶パネルとを有するＬＣＤモジュールを備えた液晶テレビ装置において、
前記ＬＣＤモジュールが取り付けられた筐体の前面部分であって、前記液晶パネルの周囲に開閉可能な蓋体が配置されるとともに、この蓋体によって被覆されている前記筐体前面部分が第１透光性部材によって形成され、前記ＬＣＤモジュールの周側面が第２透光性部材によって形成されているとともに、この周側面を被覆する枠体形状の被覆板が前後方向に移動可能に設けられており、
前記バックライトを蛍光灯として代用する蛍光灯モードを制御する制御手段を備え、
前記制御手段は、電源オン状態において前記液晶パネルを白一色に表示する蛍光灯モードに移行したとき、前記蓋体を開きかつ前記被覆板を後方向に移動させて、前記ＬＣＤモジュールの第２透光性部材からバックライトの光を導出させ、さらに前記筐体の第２透光性部材から外部に導くとともに、一定時間内の所定時間が経過すると、蛍光灯モードの残り時間に関する警告メッセージを前記液晶パネルに表示し、前記一定時間が経過すると、前記蓋体を閉じかつ前記被覆板を前方向に移動させて前記ＬＣＤモジュールの第２透光性部材を被覆し、電源オフ状態として、蛍光灯モードを終了することを特徴とする液晶テレビ装置。
【請求項２】
バックライトと液晶パネルとを有するＬＣＤモジュールを備えた液晶テレビ装置において、
前記バックライトを蛍光灯として代用する蛍光灯モードを制御する制御手段を備え、
前記制御手段は、電源オン状態において前記蛍光灯モードに移行したとき、一定時間経過後に前記蛍光灯モードを終了してモード前の状態に復帰するかまたは電源オフ状態とすることを特徴とする液晶テレビ装置。
【請求項３】
バックライトと液晶パネルとを有するＬＣＤモジュールを備えた液晶テレビ装置において、
前記バックライトを蛍光灯として代用する蛍光灯モードを制御する制御手段を備え、
前記制御手段は、電源オフ状態から前記蛍光灯モードに移行したとき、一定時間経過後に前記蛍光灯モードを終了して電源オフ状態とすることを特徴とする液晶テレビ装置。
【請求項４】
前記蛍光灯モードは、前記液晶パネルを白一色の表示とするモードであることを特徴とする請求項２または請求項３に記載の液晶テレビ装置。
【請求項５】
前記制御手段は、前記蛍光灯モードに移行した後、前記一定時間内の所定時間が経過すると、蛍光灯モードの残り時間に関する警告メッセージを前記液晶パネルに表示することを特徴とする請求項２または請求項３に記載の液晶テレビ装置。
【請求項６】
前記制御手段は、前記液晶パネルに表示する警告メッセージの表示内容及び表示色を時間の経過に応じて変更することを特徴とする請求項５に記載の液晶テレビ装置。
【請求項７】
前記ＬＣＤモジュールが取り付けられた筐体の前面部分であって、前記液晶パネルの周囲に開閉可能な反射板が配置されており、
前記制御手段は、前記蛍光灯モードに移行したとき、前記反射板を開いて前記液晶パネルの表面から放射される光を前面に集めることを特徴とする請求項２ないし請求項６のいずれかに記載の液晶テレビ装置。
【請求項８】
前記ＬＣＤモジュールが取り付けられた筐体の前面部分であって、前記液晶パネルの周囲に配置された開閉可能な蓋体と、この蓋体によって被覆されている前記筐体前面部分を構成する透光性部材とを備えており、
前記蛍光灯モード時、前記制御手段は、前記蓋体を開いて前記バックライトの漏れ光を前記透光性部材から外部に導くことを特徴とする請求項２ないし請求項６のいずれかに記載の液晶テレビ装置。
【請求項９】
前記蓋体の内側が反射面に形成されていることを特徴とする請求項８に記載の液晶テレビ装置。
【請求項１０】
前記ＬＣＤモジュールの周側面が透光性部材によって形成されているとともに、この周側面を被覆する枠体形状の被覆板が前後方向に移動可能に設けられており、
前記蛍光灯モード時、前記制御手段は、前記被覆板を後方向に移動させて前記ＬＣＤモジュールの透光性部材から前記バックライトの光を導出させることを特徴とする請求項８に記載の液晶テレビ装置。
【発明の詳細な説明】
【技術分野】
【０００１】
本発明は液晶テレビ装置に係り、より詳細には、蛍光灯モード機能を付けることにより、蛍光灯の代用として使用可能な液晶テレビ装置に関する。
【背景技術】
【０００２】
従来、蛍光灯の代用可能な各種装置が種々提案されている（例えば、特許文献１〜４等参照）。
【０００３】
特許文献１に記載のカメラ一体型ＶＴＲ装置は、装置を充電モードにすると、照明板が点灯し白色光により液晶パネルを背面から照明することで、液晶パネルをノーマリーホワイトのモード（以下「蛍光灯モード」という。）とし、照明板からの白色光が、液晶パネルを透過して放射されることで、常夜灯として使用する構成となっている。
【０００４】
また、特許文献２に記載の液晶テレビ装置は、蛍光管を固定している反射体を、外装ケースに対して回転可能とし、液晶テレビをモニターしているときには、回転板を通常位置まで回転させて蛍光管を外装ケースの内部に収納し、照明スタンドとして使用するときには、回転板を回転させて蛍光管を外装ケースから露出させ、外方向に向けて照射する構成（以下「蛍光灯モード」という。）となっている。
【０００５】
また、特許文献３に記載の車載用映像表示装置は、画面が立っていないと判定された場合に、液晶ディスプレイ（以下「液晶パネル」という。）から一定の明るさの単色光を照射する手元確認用照明モード（以下「蛍光灯モード」という。）に移行する構成となっている。
【０００６】
また、特許文献４に記載の車載用液晶ディスプレイ装置は、車両の扉が開放されると、液晶ディスプレイ（以下「液晶パネル」という。）のバックライトを点灯して車内照明とする構成（以下「蛍光灯モード」という。）となっている。
【特許文献１】特開平１１−２３９２９０号公報
【特許文献２】特開昭６２−１４４１９３号公報
【特許文献３】特開平５−２２４１７０号公報
【特許文献４】特開平３−１８９６２０号公報
【発明の開示】
【発明が解決しようとする課題】
【０００７】
上記したように、液晶パネルのバックライトを蛍光灯代わりとして利用することは、従来から種々提案されている。
【０００８】
しかし、上記特許文献１〜４のものはいずれも、蛍光灯モードに移行してからどのようにして蛍光灯モードを終了させるのかについては何も記載されていない。例えば特許文献１では、充電を終了するまでずっと蛍光灯モードのままであり、特許文献２では、ユーザが反射体を手動で回転させない限り蛍光灯モードのままであり、特許文献３では、ユーザが手動で画面を立てない限り蛍光灯モードのままである。また、特許文献４では、明確な記載はないものの、車両の扉を閉じると蛍光灯モードが終了する。
【０００９】
すなわち、上記特許文献２，３では、ユーザが意識的に蛍光灯モードを終了させない限り、蛍光灯モードは終了しない。そのため、蛍光灯モードのままでその場所を離れた場合には、蛍光灯モードがその後も延々と継続されるため、無駄な電力が消費されるといった問題があった。
【００１０】
また、特許文献１では、充電を終了すると蛍光灯モードも終了するが、ユーザが充電中ずっと装置の前に居るわけではないので、照明が無駄になるといった問題があった。また、特許文献１の照明は、つまずき防止のため、装置の位置をユーザに知らせるものであり、蛍光灯の代用として使用できるような照明ではない。
【００１１】
また、特許文献４では、車両の扉が閉じられると蛍光灯モードが終了するが、これもある意味では上記特許文献２，３と同様、蛍光灯モードを終了するためには、扉を閉めるというユーザの手動操作が必要である。
【００１２】
本発明はかかる問題点を解決すべく創案されたもので、その目的は、一旦蛍光灯モードに移行した後は、ユーザが何ら操作しなくても、一定時間経過後にはユーザに警告を発しつつ確実に蛍光灯モードを終了することのできる液晶テレビ装置を提供することにある。また、他の目的は、バックライトの漏れ光を集光する機構を加えることで、蛍光灯としての照度を確保できるようにした液晶テレビ装置を提供することにある。
【課題を解決するための手段】
【００１３】
上記課題を解決するため、本発明の液晶テレビ装置は、バックライトと液晶パネルとを有するＬＣＤモジュールを備えた液晶テレビ装置において、前記バックライトを蛍光灯として代用する蛍光灯モードを制御する制御手段を備え、前記制御手段は、電源オン状態において前記蛍光灯モードに移行したとき、一定時間経過後に前記蛍光灯モードを終了してモード前の状態に復帰するかまたは電源オフ状態とすることを特徴としている。
【００１４】
すなわち、電源オン状態で蛍光灯モードに移行したときには、蛍光灯モード終了時にはモード前の状態に復帰するかまたは電源オフ状態とする。モード前の状態とは、例えばテレビとして任意のチャンネルを受信していた場合には、同じチャンネルを受信している状態に復帰する。また、電源オフ状態にする場合には、無駄な電力消費を防止することができる。
【００１５】
また、本発明の液晶テレビ装置は、バックライトと液晶パネルとを有するＬＣＤモジュールを備えた液晶テレビ装置において、前記バックライトを蛍光灯として代用する蛍光灯モードを制御する制御手段を備え、前記制御手段は、電源オフ状態から前記蛍光灯モードに移行したとき、一定時間経過後に前記蛍光灯モードを終了して電源オフ状態とすることを特徴としている。このように、一定時間経過後に電源オフ状態とすることで、無駄な電力消費を防止することができる。
【００１６】
ここで、前記蛍光灯モードは、前記液晶パネルを白一色の表示とするモードのことである。このように、液晶パネルを白一色の表示とすることで、ある程度の明るさを確保することが可能である。
【００１７】
また、本発明の液晶テレビ装置によれば、前記制御手段は、前記蛍光灯モードに移行した後、前記一定時間内の所定時間が経過すると、蛍光灯モードの残り時間に関する警告メッセージを前記液晶パネルに表示する構成としてもよい。例えば、一定時間を３０分とし、所定時間を１５分とした場合、蛍光灯モードが残り１５分になったところで、「蛍光灯モードは後１５分です。」といったメッセージを表示する。また、蛍光灯モードが残り５分になったところで、「蛍光灯モードは後５分です。」といったメッセージを表示する。これにより、ユーザは、蛍光灯代わりとして使用できる残り時間が随時分かるので、蛍光灯モードが突然終了して慌ててしまうといったことがない。
【００１８】
また、本発明の液晶テレビ装置によれば、前記制御手段は、前記液晶パネルに表示する警告メッセージの表示内容及び表示色を時間の経過に応じて変更する構成としてもよい。例えば、蛍光灯モードの開始から２０分経過するまでは、液晶パネルを白一色の表示とするとともに、「蛍光灯モードは後１０分です。」といった警告メッセージを例えば青色文字で表示する。そして、この時点で液晶パネルの表示色を淡き黄色に変更してさらに５分が経過すると、「蛍光灯モードは後５分です。」といった警告メッセージを例えば赤色文字で表示する。そして、この時点で液晶パネルの表示色を濃い黄色に変更して最後まで表示するとともに、例えば残り１０秒になると、液晶パネルに例えば赤字で、「１０，９，８，・・・」とカウントダウン表示を開始し、カウント「０」になった時点で蛍光灯モードを終了する。このようにすると、ユーザは、いつ蛍光灯モードが終了するのかを明確に把握できるので、蛍光灯モードが終了しても慌てることがない。
【００１９】
また、本発明の液晶テレビ装置によれば、前記ＬＣＤモジュールが取り付けられた筐体の前面部分であって、前記液晶パネルの周囲に開閉可能な反射板が配置されており、前記制御手段は、前記蛍光灯モードに移行したとき、前記反射板を開いて前記液晶パネルの表面から放射される光を前面に集める構成としてもよい。
【００２０】
このように、蛍光灯モード時には反射板を開くことで、液晶パネルの表面から放射される光を周囲に逃がすことなく画面前方側に集めることができる。これにより、液晶パネル前面の一定領域がより明るくなり、照明用としての照度を稼ぐことができる。
【００２１】
また、本発明の液晶テレビ装置によれば、前記ＬＣＤモジュールが取り付けられた筐体の前面部分であって、前記液晶パネルの周囲に配置された開閉可能な蓋体と、この蓋体によって被覆されている前記筐体前面部分を構成する透光性部材とを備えており、前記蛍光灯モード時、前記制御手段は、前記蓋体を開いて前記バックライトの漏れ光を前記透光性部材から外部に導く構成としてもよい。
【００２２】
このように、蛍光灯モード時には、筐体前面部分の透光性部材のところを開放することで、バックライトの筐体内での漏れ光が外部に導出されるため、液晶パネル前面の一定領域がさらに明るくなり、照明用としての照度をさらに稼ぐことができる。
【００２３】
この場合、前記蓋体の内側を反射面に形成しておけば、漏れ光を液晶パネル前面に集めることができるので、液晶パネル前面の一定領域がさらに明るくなり、照明用としての照度をさらに稼ぐことができる。
【００２４】
また、本発明の液晶テレビ装置によれば、前記ＬＣＤモジュールの周側面が透光性部材によって形成されているとともに、この周側面を被覆する枠体形状の被覆板が前後方向に移動可能に設けられており、前記蛍光灯モード時、前記制御手段は、前記被覆板を後方向に移動させて前記ＬＣＤモジュールの透光性部材から前記バックライトの光を導出させる構成としてもよい。
【００２５】
このように、ＬＣＤモジュールの周側面も透光性部材によって形成することで、筐体前面の蓋体を開いたとき、ＬＣＤモジュールの透光性部材から導出されたバックライトからの大量の漏れ光が、筐体前面部分の透光性部材を介して筐体外部に導出されるため、液晶パネル前面の一定領域がさらに明るくなり、照明用としての照度をさらに稼ぐことができる。
【発明の効果】
【００２６】
本発明の液晶テレビ装置によれば、一旦蛍光灯モードに移行した後は、ユーザが何ら操作しなくても、一定時間経過後にはユーザに警告を発しつつ確実に蛍光灯モードを終了することができるので、無駄な電力消費を防止することができる。また、一定時間内の所定時間が経過すると、蛍光灯モードの残り時間に関する警告メッセージを液晶パネルに表示する構成としたので、ユーザは、蛍光灯代わりとして使用できる残り時間が随時分かるため、蛍光灯モードが突然終了して慌ててしまうといったことがない。さらに、液晶パネルに表示する警告メッセージの表示内容及び表示色を時間の経過に応じて変更する構成とすれば、ユーザは、いつ蛍光灯モードが終了するのかをより明確に把握できるので、蛍光灯モードが終了しても慌てることがない。
【００２７】
また、本発明の液晶テレビ装置によれば、蛍光灯モード時にはバックライトの漏れ光を集める機構を付加したので、液晶パネル前面の一定領域がより明るくなり、照明用としての照度を稼ぐことができる。
【発明を実施するための最良の形態】
【００２８】
以下、本発明の実施の形態について、図面を参照して説明する。
【００２９】
図１は、本実施形態に係わる液晶テレビ装置の概略構成を示した機能ブロック図である。
【００３０】
この液晶テレビ装置１は、大別すると、マイコン１０、チューナ１１、クロマＩＣ１２、液晶パネル駆動回路１３、ＯＳＤ回路１４、機構駆動回路１５、タイマー回路１６、操作パネル１７、リモコンＩ／Ｆ１８、リモコン１９、液晶パネル２１及びバックライト２２を備えたＬＣＤモジュール２０、駆動機構部３０から構成されている。なお、以下の説明では音声信号についての記述を省略する。
【００３１】
同図において、チューナ１１はアンテナ１１ａを介してテレビ放送帯域に対応した所望周波数のテレビジョン信号を受信するとともに、この受信したテレビジョン信号から所要の信号だけを選択して高周波増幅し、中間周波信号に変換して出力する。
【００３２】
チューナ１１から出力された中間周波信号がクロマＩＣ１２に入力されると、クロマＩＣ１２は、入力された中間周波信号に各種の信号処理を施すことで合成映像信号を復元し、映像信号等を抽出して液晶パネル駆動回路１３に出力する。液晶パネル駆動回路１３は、映像信号に対し画質調整等を行うとともに、ＯＳＤ回路１４からのＯＳＤ信号などを付加してＬＣＤモジュール２０の液晶パネル２１に出力する。
【００３３】
機構駆動回路１５は、ＬＣＤモジュール２０に設けられた駆動機構部３０を、マイコン１０からの制御により駆動制御する。また、タイマー回路１６は、後述する各種時間を計測する。
【００３４】
マイコン１０は、本装置全体の制御動作を実行するものであり、操作パネル１７での操作や、リモコンＩ／Ｆ１８を介したリモコン１９での操作に基づいて、各デバイス（チューナ１１、クロマＩＣ１２、液晶パネル駆動回路１３、ＯＳＤ回路１４、機構駆動回路１５、タイマー回路１６等）に適宜制御指示を与えて、装置全体の制御を行っている。
【００３５】
リモコン１９には、本発明の特徴である蛍光灯モードを指示するためのモードボタン１９ａが設けられており、ユーザがこのモードボタン１９ａを操作することにより、この操作信号を受けたマイコン１０が蛍光灯モードを実行するようになっている。
【００３６】
次に、上記構成の液晶テレビ装置１において、マイコン１０によって実行される蛍光灯モードを、具体的に実施例を上げて以下に説明する。
【実施例１】
【００３７】
本実施例１は、本発明の液晶テレビ装置１の最も基本的な蛍光灯モードの処理を実行する実施例である。以下、図２に示すフローチャートを参照して本実施例１の蛍光灯モードの処理動作を説明する。
【００３８】
ユーザがリモコン１０のモードボタン１９ａを操作すると（ステップＳ１でＹｅｓと判断されると）、この操作信号を受けたマイコン１０は蛍光灯モードを実行する（ステップＳ２）。すなわち、マイコン１０は、液晶パネル駆動回路１３を制御して、液晶パネル２１を白一色の表示（すなわち、ノーマリーホワイトの状態）とする（ステップＳ３）。これにより、バックライト２２の光が液晶パネル２１を透過し、液晶パネル２１前面からの透過光を照明光として利用することができる。
【００３９】
このとき、マイコン１０は、タイマー回路１６を起動して、一定時間である例えば３０分の計測を開始し（ステップＳ４）、その３０分が経過したか否かを監視する（ステップＳ５）。そして、３０分が経過すると（ステップＳ５でＹｅｓと判断されると）、蛍光灯モードを終了する（ステップＳ６）。
【００４０】
このとき、マイコン１０は、電源オン状態のときに蛍光灯モードに移行したときには、蛍光灯モード終了時にはそのモード前の状態に復帰するか、または電源オフ状態とする。モード前の状態とは、例えばテレビとして任意のチャンネルを受信していた場合には、同じチャンネルを受信している状態に復帰することである。元の状態に復帰させるのか、電源オフ状態とするのかは、予めマイコン内部にプログラムとして設定しておいてもよいし、またはユーザによってどちらかが選択できるようにしておいてもよい。
【００４１】
また、電源オフ状態から蛍光灯モードに移行したときには、蛍光灯モード終了時に再び電源オフ状態とする。このように、蛍光灯モード終了時に必ず電源オフ状態とすることで、無駄な電力消費を防止することが可能となる。
【実施例２】
【００４２】
本実施例２は、蛍光灯モード移行後、一定時間が経過する前にユーザに対して警告を行う実施例である。以下、図３に示すフローチャートを参照して本実施例２の蛍光灯モードの処理動作を説明する。
【００４３】
ユーザがリモコン１０のモードボタン１９ａを操作すると（ステップＳ１１でＹｅｓと判断されると）、この操作信号を受けたマイコン１０は蛍光灯モードを実行する（ステップＳ１２）。すなわち、マイコン１０は、液晶パネル駆動回路１３を制御して、液晶パネル２１を白一色の表示（すなわち、ノーマリーホワイトの状態）とする（ステップＳ１３）。これにより、バックライト２２の光が液晶パネル２１を透過し、液晶パネル２１前面からの透過光を照明光として利用することができる。
【００４４】
このとき、マイコン１０は、タイマー回路１６を起動して、一定時間である例えば３０分の計測を開始する（ステップＳ１４）。ここで、所定時間を例えば１５分とすると、マイコン１０は、この一定時間の計測中に、所定時間である１５分を経過したか否かをまず監視する（ステップＳ１５）。そして、所定時間である１５分が経過すると（ステップＳ１５でＹｅｓと判断されると）、マイコン１０は、ＯＳＤ回路１４を制御して、蛍光灯モードの残り時間に関する警告メッセージを液晶パネル２１に表示する（ステップＳ１６）。例えば、「蛍光灯モードは後１５分です。」といったメッセージを表示する。
【００４５】
この後、マイコン１０は、一定時間である３０分が経過したか否かを引き続き監視する（ステップＳ１７）。そして、３０分が経過すると（ステップＳ１７でＹｅｓと判断されると）、蛍光灯モードを終了する（ステップＳ１８）。なお、蛍光灯モードの終了時の処理は、図２のステップＳ６で説明した処理と同じであるのでここでは説明を省略する。
【００４６】
なお、上記実施例２では、所定時間を１５分の１種類のみとして説明しているが、例えば、１５分、２０分、２５分、２９分というように、複数種類設定できるようにしてもよい。この場合には、上記ステップＳ１５、ステップＳ１６の処理を、設定された時間分だけ繰り返すことになる。すなわち、マイコン１０は、所定時間である２０分が経過すると、「蛍光灯モードは後１０分です。」といったメッセージを表示し、所定時間である２５分が経過すると、「蛍光灯モードは後５分です。」といったメッセージを表示し、所定時間である２９分が経過すると、「蛍光灯モードは後１分です。」といったメッセージを表示する。
【００４７】
このように時間経過に応じて蛍光灯モード終了までの警告メッセージを表示することで、ユーザは、いつ蛍光灯モードが終了するのかを明確に把握できるので、蛍光灯モードが終了しても慌てることがない。
【実施例３】
【００４８】
本実施例３は、蛍光灯モード移行後、所定時間が経過するたびにユーザに対して警告を行う実施例であり、そのときに、時間経過に応じて警告表示と警告内容とを変更していく実施例である。以下、図４に示すフローチャートを参照して本実施例３の蛍光灯モードの処理動作を説明する。
【００４９】
本実施例３では、所定時間が２０分、２５分、２９分の３種類設定されている場合について説明する。
【００５０】
ユーザがリモコン１０のモードボタン１９ａを操作すると（ステップＳ２１でＹｅｓと判断されると）、この操作信号を受けたマイコン１０は蛍光灯モードを実行する（ステップＳ２２）。すなわち、マイコン１０は、液晶パネル駆動回路１３を制御して、液晶パネル２１を白一色の表示（すなわち、ノーマリーホワイトの状態）とする（ステップＳ２３）。これにより、バックライト２２の光が液晶パネル２１を透過し、液晶パネル２１前面からの透過光を照明光として利用することができる。
【００５１】
このとき、マイコン１０は、タイマー回路１６を起動して、一定時間である例えば３０分の計測を開始する（ステップＳ２４）。そして、この一定時間の計測中において、予め設定されている所定時間の計測を行う。すなわち、マイコン１０は、設定されている所定時間があるか否かを確認し（ステップＳ２５）、設定されている所定時間がある場合（ステップＳ２５でＹｅｓと判断された場合）には、その設定されている所定時間の計測を順次開始する。
【００５２】
すなわち、マイコン１０は、まず所定時間である２０分を経過したか否かを監視する（ステップＳ２６）。そして、所定時間である２０分が経過すると（ステップＳ２６でＹｅｓと判断されると）、マイコン１０は、ＯＳＤ回路１４を制御して、蛍光灯モードの残り時間に関する警告メッセージを液晶パネル２１に表示する（ステップＳ２７）。このとき、マイコン１０は、「蛍光灯モードは後１０分です。」といったメッセージを例えば青色で表示する。この場合、マイコン１０は、液晶パネル駆動回路１３を制御して、液晶パネル２１自体の表示色を併せて変更するようにしてもよい。例えば、それまでの白一色から淡い黄色に変更する。これにより、ユーザは、警告メッセージのみでなく、その明るさの微妙な変化によっても蛍光灯モードの残り時間を認識することができる。ユーザが例えば本等を読んでいた場合、警告メッセージを表示してもユーザがそれを見るとは限らないが、明るさの微妙な変化は気づき易いので、蛍光灯モードの残り時間の警告手段としては有効な手段である。
【００５３】
この後、マイコン１０は、ステップＳ２５に戻って、設定されている所定時間がまだ残っているか否かを確認する。そして、残っている場合には、次の所定時間である２５分を経過したか否かを監視する（ステップＳ２６）。そして、所定時間である２５分が経過すると（ステップＳ２６でＹｅｓと判断されると）、マイコン１０は、ＯＳＤ回路１４を制御して、蛍光灯モードの残り時間に関する警告メッセージを液晶パネル２１に表示する（ステップＳ２７）。このとき、マイコン１０は、「蛍光灯モードは後５分です。」といったメッセージを例えば濃い黄色で表示する。この場合、マイコン１０は、液晶パネル駆動回路１３を制御して、液晶パネル２１自体の表示色を併せて変更するようにしてもよい。例えば、それまでの淡い黄色から濃い黄色に変更する。これにより、ユーザは、警告メッセージのみでなく、その明るさの微妙な変化によっても蛍光灯モードの残り時間を認識することができる。
【００５４】
この後、マイコン１０は、ステップＳ２５に戻って、設定されている所定時間がまだ残っているか否かを確認する。そして、残っている場合には、次の所定時間である２９分を経過したか否かを監視する（ステップＳ２６）。そして、所定時間である２９分が経過すると（ステップＳ２６でＹｅｓと判断されると）、マイコン１０は、ＯＳＤ回路１４を制御して、蛍光灯モードの残り時間に関する警告メッセージを液晶パネル２１に表示する（ステップＳ２７）。このとき、マイコン１０は、「蛍光灯モードは後１分です。」といったメッセージを例えば赤色で表示する。この場合、マイコン１０は、液晶パネル駆動回路１３を制御して、液晶パネル２１自体の表示色を併せて変更するようにしてもよい。例えば、それまでの濃い黄色から淡い青色に変更する。これにより、ユーザは、警告メッセージのみでなく、その明るさの微妙な変化によっても蛍光灯モードの残り時間を認識することができる。この場合、マイコン１０は、蛍光灯モードの残り時間１分を、液晶パネル２１の表示画面上でカウントダウンしていくようにしてもよい。すなわち、「５９，５８，５７，・・・１０，９，８，・・」というように１秒ずつカウントダウンしてく。
【００５５】
一方、マイコン１０は、ステップＳ２５に戻って、設定されている所定時間がまだ残っているか否かを確認する。この場合には残っていないので、ステップＳ２５での判断がＮｏとなり、ステップＳ２８に進んで、一定時間である３０分が経過したか否かを引き続き監視する。そして、カウントダウンの「０」とともに、３０分が経過すると（ステップＳ２８でＹｅｓと判断されると）、蛍光灯モードを終了する（ステップＳ２９）。なお、蛍光灯モードの終了時の処理は、図２のステップＳ６で説明した処理と同じであるのでここでは説明を省略する。
【００５６】
このように時間経過に応じて蛍光灯モード終了までの警告メッセージと液晶パネル２１自体の表示色とを変更しつつ表示することで、ユーザは、いつ蛍光灯モードが終了するのかをより明確に把握できるので、蛍光灯モードが終了しても慌てることがない。
【００５７】
上記実施例１〜３は、本発明の液晶テレビ装置１による蛍光灯モードの基本的な（ソフト的な）実施例であったが、本発明では、このようなソフト的な処理に加え、機構的な処理も行っている。以下の実施例では、この機構的な処理について説明する。
【実施例４】
【００５８】
図５は、本実施例４の駆動機構部を示す説明図であり、（ａ）は液晶テレビ装置１の正面図、（ｂ）及び（ｃ）はそれぞれＡ−Ａ線断面図であり、（ｂ）は反射板を閉じた状態、（ｃ）は反射板を開いた状態を示している。
【００５９】
すなわち、ＬＣＤモジュール２０が取り付けられた筐体５０の前面部分であって、液晶パネル２１の周囲（本実施例４では、左右側面と上面の３箇所）に開閉可能な長板状の反射板５１がコ字状に配置されている。これら反射板５１は、筐体５０の周縁部側において支持軸５２により開閉可能に支持されており、開閉角度は、最大で１３５度となっている。ただし、図５（ｃ）では９０度まで開いた状態を示している。また、これら反射板５１は、閉じたとき（図５（ｂ）の状態）、その表面側の色を筐体５０の色と同じ色（若しくはこれに近い色）にしている。これにより、普通にテレビとして視聴するときに、この反射板５１が視聴の妨げ（目障り）になることはない。
【００６０】
一方、反射板５１の裏面側は、光を反射しやすいように例えば白色（若しくは鏡面仕上げ）としておく。これにより、液晶パネル２１を透過した光が周囲に拡散しても、この拡散光は反射板５１の裏面側で反射して前方側に集められるため、液晶パネル２１前面の一定領域がより明るくなり、照明用としての照度を稼ぐことができる。
【００６１】
なお、このような反射板５１は、各反射板５１と対向する筐体５０の内部に配置された駆動機構部３０と連動しており、この駆動機構部３０は、図１に示すように、機構駆動回路１５を介してマイコン１０に接続されている。
【００６２】
すなわち、マイコン１０は、機構駆動回路１５及び駆動機構部３０を介して、反射板５１の開閉制御が可能な構成となっており、上記各実施例１〜３で説明したように、リモコン１９からモードボタン１９ａの操作信号を受けて蛍光灯モードを実行するとき（ステップＳ２、ステップＳ１２、ステップＳ２２）、図５（ｂ）に示す状態から同図（ｃ）に示す状態に反射板５１を開制御するようになっている。一方、蛍光灯モードを終了するとき（ステップＳ６、ステップＳ１８、ステップＳ２９）は、図５（ｃ）に示す状態に開いていた反射板５１を、同図（ｂ）に示す状態に閉制御するようになっている。
【００６３】
なお、このように反射板５１を開閉動作させるための駆動機構部３０の構造自体は本発明の要部ではないので、構造の詳細な説明は省略する。
【実施例５】
【００６４】
本実施例５は、上記実施例４の反射板構造の他の実施例であり、図６は、本実施例４に係る反射板構造の要部を示す一部拡大断面図である。
【００６５】
すなわち、本実施例５では、上記実施例４の反射板構造に加え、反射板５１によって被覆されている筐体５０前面部分５５を透光性の部材（例えば、透明または乳白色の樹脂部材等）で形成したものである。つまり、本実施例５の反射板５１は、図６（ａ）に示すように閉じているとき（テレビとして視聴しているとき）はこの前面部分（透光性部材）５５を被覆して、筐体５０内部の光（主にバックライト２２の漏れ光）が外部に漏れ出すのを防止する蓋体としての役目を果たしている。
【００６６】
そして、マイコン１０は、リモコン１９からモードボタン１９ａの操作信号を受けて蛍光灯モードを実行するとき（ステップＳ２、ステップＳ１２、ステップＳ２２）、図６（ａ）に示す状態から同図（ｂ）に示す状態に反射板５１を開制御するようになっている。これにより、バックライト２２の筐体内部での漏れ光が、透光性部材５５を通って筐体外部に導出される。このとき、反射板５１の裏面側は白色等の光が反射し易い面に形成されているので、漏れ光を液晶パネル前面に集めることができるため、液晶パネル前面の一定領域がさらに明るくなり、照明用としての照度をさらに稼ぐことができるものである。
【００６７】
一方、蛍光灯モードを終了するとき（ステップＳ６、ステップＳ１８、ステップＳ２９）は、図６（ｂ）に示す状態に開いていた反射板５１を、同図（ａ）に示す状態に閉制御するようになっている。
【実施例６】
【００６８】
本実施例６は、上記実施例５の反射板構造の他の実施例であり、図７は、本実施例６に係る反射板構造の要部を示す断面図である。
【００６９】
すなわち、本実施例６では、上記実施例５の反射板構造に加え、ＬＣＤモジュール２０の周側面（傾斜面）２５も透光性部材（例えば、透明樹脂部材等）によって形成し、かつ、この周側面（透光性部材）２５を被覆する枠体形状の被覆板２７が前後方向（図７（ａ）中、Ｘ１及びＸ２方向）に移動可能に設けられたものである。この被覆板２７は、遮光性部材（例えば、黒色の樹脂等）で形成されている。また、この被覆板２７は、傾斜状の周側面（透光性部材）２５の表面を完全に被覆できるように、少なくとも内周面側は同方向に傾斜する傾斜面となっている。
【００７０】
本実施形態では、この被覆板２７も駆動機構部３０に連動されており、マイコン１０は、機構駆動回路１５及び駆動機構部３０を介して、被覆板２７を前後方向に移動制御可能な構成となっている。
【００７１】
そして、マイコン１０は、リモコン１９からモードボタン１９ａの操作信号を受けて蛍光灯モードを実行するとき（ステップＳ２、ステップＳ１２、ステップＳ２２）、図７（ａ）に示す状態から同図（ｂ）に示す状態となるように、反射板５１を開制御するとともに、被覆板２７をＸ１方向に後退させるようになっている。これにより、バックライト２２の光は、ＬＣＤモジュール２０の周側面に形成された透光性部材２５を透過し、さらに筐体前面の透光性部材５５を通って筐体外部に導出される。このとき、反射板５１の裏面側は白色等の光が反射し易い面に形成されているので、透光性部材５５からの透過光を液晶パネル前面に集めることができるため、液晶パネル前面の一定領域がさらに明るくなり、照明用としての照度をさらに稼ぐことができるものである。
【００７２】
一方、蛍光灯モードを終了するとき（ステップＳ６、ステップＳ１８、ステップＳ２９）は、図７（ｂ）に示す状態から同図（ａ）に示す状態となるように、開いていた反射板５１を閉制御するとともに、後退していた被覆板２７をＸ２方向に前進させて、ＬＣＤモジュール２０の周側面である透過性部材２５を被覆する。これにより、ＬＣＤモジュール２０から筐体内部へのバックライト２２の漏れ光を抑えることができ、テレビとして視聴するときの液晶パネル２１に十分な光量を与えることができる。
【００７３】
なお、このように被覆板２７を前後方向に移動させるための駆動機構部３０の構造自体は本発明の要部ではないので、構造の詳細な説明は省略する。
【図面の簡単な説明】
【００７４】
【図１】本発明の液晶テレビ装置の概略構成を示した機能ブロック図である。
【図２】実施例１に係る蛍光灯モードの処理動作を示すフローチャートである。
【図３】実施例２に係る蛍光灯モードの処理動作を示すフローチャートである。
【図４】実施例３に係る蛍光灯モードの処理動作を示すフローチャートである。
【図５】実施例４に係る駆動機構部を示す説明図であり、（ａ）は液晶テレビ装置の正面図、（ｂ）及び（ｃ）はそれぞれＡ−Ａ線断面図である。
【図６】（ａ）及び（ｂ）は、実施例５に係る反射板構造の要部を示す一部拡大断面図である。
【図７】（ａ）及び（ｂ）は、実施例６に係る反射板構造の要部を示す断面図である。
【符号の説明】
【００７５】
１  液晶テレビ装置
１０  マイコン
１１  チューナ
１２  クロマＩＣ
１３  液晶パネル駆動回路
１４  ＯＳＤ回路
１５  機構駆動回路
１６  タイマー回路
１７  操作パネル
１８  リモコンＩ／Ｆ
１９  リモコン
１９ａ  モードボタン
２０  ＬＣＤモジュール
２１  液晶パネル
２２  バックライト
２５  透光性部材（周側面）
３０  駆動機構部
５０  筐体
５１  反射板（蓋体）
５２  支持軸
【図１】
2007264301.tif 000003
【図２】
2007264301.tif 000004
【図３】
2007264301.tif 000005
【図４】
2007264301.tif 000006
【図５】
2007264301.tif 000007
【図６】
2007264301.tif 000008
【図７】
2007264301.tif 000009